(57)【要約】【課題】  可聴音域よりも高いキャリア周波数成分を含むスイッチング出力信号を出力する増幅器と組み合わせてスピーカーシステムを構成するのに適するボイスコイルおよびこれを備える動電型スピーカーを提供する。【解決手段】  ボイスコイルは、ボビンと、ボビンに絶縁被膜電線が一層で巻回されて形成されるコイルと、コイルの他方端が接続されてコイルの一方端側に電極を導き出す第１中継箔部材と、を備え、第１中継箔部材が、コイルの他方端が接続される第１電極部と、第１錦糸線が接続される第２電極部と、ボビンに一層で巻回されたコイルの絶縁被膜電線と略直交するように配置されて第１電極部と第２電極部とを接続する交差部と、を備え、交差部が、第２電極部よりも幅寸法が細く形成される。【選択図】  図２
2016208318.tif 000002
【特許請求の範囲】
【請求項１】
ボビンと、該ボビンに絶縁被膜電線が一層で巻回されて形成されるコイルと、該コイルの他方端が接続されて該コイルの一方端側に電極を導き出す第１中継箔部材と、を備え、
該第１中継箔部材が、該コイルの該他方端が接続される第１電極部と、第１錦糸線が接続される第２電極部と、該ボビンに一層で巻回された該コイルの該絶縁被膜電線と略直交するように配置されて該第１電極部と該第２電極部とを接続する交差部と、を備え、該交差部が、該第２電極部よりも幅寸法が細く形成される、
ボイスコイル。
【請求項２】
前記コイルの前記一方端および第２錦糸線が接続される第２中継箔部材をさらに備える、
請求項１に記載のボイスコイル。
【請求項３】
前記コイルを形成する前記絶縁被膜電線が、断面が丸または平角の銅線、アルミ線、又は、銅クラッドアルミ線のいずれかから選択される、
請求項１または２に記載のボイスコイル。
【請求項４】
前記第１中継箔部材の前記第２電極部に接続する前記第１錦糸線と、前記第２中継箔部材に接続する前記第２錦糸線と、をさらに備える、
請求項１から３のいずれかに記載のボイスコイル。
【請求項５】
請求項２から４のいずれかに記載のボイスコイルと、該ボイスコイルの前記コイルが配置される磁気空隙を有する磁気回路と、該ボイスコイルの前記ボビンに連結されるスピーカー振動板と、該スピーカー振動板の外周端を振動可能に支持するエッジと、該エッジの外周端ならびに該磁気回路が連結するフレームと、前記第１錦糸線および前記第２錦糸線が接続するスピーカー端子と、
を備える動電型スピーカー。
【請求項６】
前記ボイスコイルを含む請求項５に記載の動電型スピーカーと、前記スピーカー端子に接続する出力端子を有する増幅器と、を備える、
スピーカーシステム。
【請求項７】
前記増幅器が、可聴音域よりも高いキャリア周波数成分を含むスイッチング出力信号を前記出力端子に出力するドライバ回路を含む、
請求項６に記載のスピーカーシステム。
【請求項８】
前記増幅器が、前記ドライバ回路と前記動電型スピーカーの前記スピーカー端子との間に低域通過フィルタを有さない、
請求項７に記載のスピーカーシステム。
【発明の詳細な説明】
【技術分野】
【０００１】
本発明は、ボイスコイルおよびこれを備える動電型スピーカー並びにスピーカーシステムに関し、特に、可聴音域よりも高いキャリア周波数成分を含むスイッチング出力信号を出力する増幅器と組み合わせてスピーカーシステムを構成するのに適するボイスコイルおよびこれを備える動電型スピーカーに関する。
【背景技術】
【０００２】
音声信号を音波に変換して再生するスピーカーシステムでは、音声信号を増幅器（アンプ）で電力増幅して、電機音響変換器であるスピーカーへ供給し、可聴音域の音波を再生する。スピーカーでは、磁気回路およびボイスコイルを備える動電型スピーカーが一般的に使用される。動電型スピーカーでは、磁気回路の磁気空隙中に振動可能に配置されたボイスコイルに音声信号電流が供給されると、磁気空隙中の磁界により駆動力を受けるので、ボイスコイルに連結する振動板が振動して、その結果、音波が再生される。
【０００３】
例えば、従来の動電型スピーカーのボイスコイルでは、巻き始め又は巻き終わりのリード線引き出し部近傍においてコイル巻線の断面が円形となり、その他の巻線断面が長方形であるボイスコイルが開示されている（特許文献１：第２図）。ただし、特許文献１のボイスコイルは製造が容易でなく品質が安定しない恐れがあるので、ボイスコイルのボビンに導電箔、または、中継板を用いて１層巻きのコイルの巻き初め又は巻き終わりをリード線／錦糸線に接続する構成が採用されることがある（特許文献２、３）。また、容量リアクタンスが信号歪みの要因となることを指摘して、ＬＣ−ＯＦＣの線材に電着法により絶縁層を形成し、それをボイスコイル用線材として用いる構成としたものがある（特許文献４）。
【０００４】
また、アンプでは、電力変換効率の高いスイッチングアンプの使用が増加している。スイッチングアンプは、入力音声信号をパルス幅変調またはパルス密度変調などにより変調して、可聴音域よりも周波数がはるかに高いキャリア信号の成分を含む変調信号として電力増幅する。したがって、スイッチングアンプは、キャリア信号を除去する低域通過フィルタを備えるのが一般的である。スイッチングアンプは、低域通過フィルタを通過させた出力信号を動電型スピーカーへ供給することで、高電圧レベルのパルス信号がそのままボイスコイルに印加されて大きな電力ロスが発生し発熱してしまうのを防ぎ、動電型スピーカー並びに動電型スピーカーへ音声信号を供給する接続コードから、不要輻射が発生するのを防止している。
【０００５】
スイッチングアンプでは、キャリア信号を除去する低域通過フィルタを構成する場合に、コイルおよびコンデンサから構成されるＬＣフィルタが多用される。ＬＣフィルタを採用する場合には、スイッチングアンプから見た負荷としての動電型スピーカーの電気インピーダンスは、キャリア信号の周波数帯域ではＬＣフィルタのコイルのインダクタンス成分に主に支配される。しかしながら、高い電圧値および大きな電流値に対応するＬＣフィルタは、コイル／コンデンサの素子のサイズが大きくなるので、小型化が進むスイッチングアンプの基板の中で相対的に占める面積が大きくなり、小型化のボトルネックとなりやすいという問題がある。また、大きなコイル／コンデンサは、製造コストの面でも不利である。
【０００６】
したがって、動電型スピーカーに接続するスイッチングアンプを備えるスピーカー装置において、低域通過フィルタを省略可能にする、あるいは、コイル／コンデンサのサイズが小さいＬＣフィルタを実現すること、が要望されている。ただし、スイッチングアンプの効率を考慮すると、ボイスコイルを含む動電型スピーカーの電気インピーダンスは、キャリア信号の周波数帯域において十分に高い値になることが望ましく、コイルおよびコンデンサから構成されるＬＣフィルタを有さない場合には、動電型スピーカーのボイスコイルの線間容量を低減して、電気インピーダンスが局所的に低下するような共振現象を発生させないようにする必要がある。つまり、低域通過フィルタとしてのＬＣフィルタを備えない場合には、動電型スピーカーにおいてキャリア信号の周波数帯域における電気インピーダンスが低い値にならないようにする必要があるという問題がある。
【先行技術文献】
【特許文献】
【０００７】
【特許文献１】実開平１−１２９９９６号公報
【特許文献２】特開平８−７９８８８号公報
【特許文献３】実用新案登録第２５７０２８４号公報
【特許文献４】特開平５−３２８４９４号公報
【発明の概要】
【発明が解決しようとする課題】
【０００８】
本発明は、上記の従来技術が有する問題を解決するためになされたものであり、その目的は、可聴音域よりも高いキャリア周波数成分を含むスイッチング出力信号を出力する増幅器と組み合わせてスピーカーシステムを構成するのに適するボイスコイルおよびこれを備える動電型スピーカーを提供することにある。
【課題を解決するための手段】
【０００９】
本発明のボイスコイルは、ボビンと、ボビンに絶縁被膜電線が一層で巻回されて形成されるコイルと、コイルの他方端が接続されてコイルの一方端側に電極を導き出す第１中継箔部材と、を備え、第１中継箔部材が、コイルの他方端が接続される第１電極部と、第１錦糸線が接続される第２電極部と、ボビンに一層で巻回されたコイルの絶縁被膜電線と略直交するように配置されて第１電極部と第２電極部とを接続する交差部と、を備え、交差部が、第２電極部よりも幅寸法が細く形成される。
【００１０】
好ましくは、本発明のボイスコイルは、コイルの一方端および第２錦糸線が接続される第２中継箔部材をさらに備える。
【００１１】
好ましくは、本発明のボイスコイルは、コイルを形成する絶縁被膜電線が、断面が丸または平角の銅線、アルミ線、又は、銅クラッドアルミ線のいずれかから選択される。
【００１２】
好ましくは、本発明のボイスコイルは、第１中継箔部材の第２電極部に接続する第１錦糸線と、第２中継箔部材に接続する第２錦糸線と、をさらに備える。
【００１３】
また、本発明の動電型スピーカーは、上記のボイスコイルと、ボイスコイルのコイルが配置される磁気空隙を有する磁気回路と、ボイスコイルのボビンに連結されるスピーカー振動板と、スピーカー振動板の外周端を振動可能に支持するエッジと、エッジの外周端ならびに磁気回路が連結するフレームと、ボイスコイルの第１錦糸線および第２錦糸線が接続するスピーカー端子と、を備える。
【００１４】
また、本発明のスピーカーシステムは、上記のボイスコイルを含む上記の動電型スピーカーと、スピーカー端子に接続する出力端子を有する増幅器と、を備える。
【００１５】
さらに好ましくは、本発明のスピーカーシステムは、増幅器が、可聴音域よりも高いキャリア周波数成分を含むスイッチング出力信号を出力端子に出力するドライバ回路を含む。
【００１６】
さらに好ましくは、本発明のスピーカーシステムは、増幅器が、ドライバ回路と動電型スピーカーのスピーカー端子との間に低域通過フィルタを有さない。
【００１７】
以下、本発明の作用について説明する。
【００１８】
本発明のボイスコイルは、ボビンと、ボビンに絶縁被膜電線が一層で巻回されて形成されるコイルと、コイルの他方端が接続されてコイルの一方端側に電極を導き出す第１中継箔部材と、を備える。また、本発明の動電型スピーカーは、上記のボイスコイルと、ボイスコイルのコイルが配置される磁気空隙を有する磁気回路と、ボイスコイルのボビンに連結されるスピーカー振動板と、スピーカー振動板の外周端を振動可能に支持するエッジと、エッジの外周端ならびに磁気回路が連結するフレームと、ボイスコイルの第１錦糸線および第２錦糸線が接続するスピーカー端子と、を備える。さらに、本発明のスピーカーシステムは、上記のボイスコイルを含む上記の動電型スピーカーと、スピーカー端子に接続する出力端子を有する増幅器と、を備える。
【００１９】
ボイスコイルの第１中継箔部材は、一層巻のコイルの他方端を電気的並びに機構的にコイルの一方端側に近づけるようにする部材であって、コイルの他方端が接続される第１電極部と、第２錦糸線が接続される第２電極部と、ボビンに一層で巻回されたコイルと略直交するように配置されて第１電極部と第２電極部とを接続する交差部と、を備える。また、コイルを形成する絶縁被膜電線は、断面が丸または平角の銅線、アルミ線、又は、銅クラッドアルミ線のいずれかから選択すればよい。好ましくは、ボイスコイルは、コイルの一方端が接続される第２中継箔部材と、第１中継箔部材に接続する第１錦糸線と、第２中継箔部材に接続される第２錦糸線と、をさらに備える。したがって、通常のボイスコイルの製造方法に準じて製造可能なので、ボイスコイルとしての製造が容易であり、動電型スピーカーとしても品質が安定する利点がある。
【００２０】
具体的には、第１中継箔部材の交差部は、その長さ方向においてコイルの絶縁被膜電線を横切るように長さが設定され、その幅寸法は細く形成される。つまり、交差部の幅寸法は、錦糸線を固定するのにある程度の面積が必要な第１電極部または第２電極部よりも細く形成される。交差部は、一層巻のコイルと重ね合わされる部分であるので、コイルの絶縁被膜電線が巻回される方向に一致する方向の導体の寸法である幅寸法を細く、狭く設定するほど、ボイスコイルの線間に寄生して発生する容量の値を小さくすることができる。
【００２１】
その結果、容量値が小さいボイスコイルが実現できるので、動電型スピーカーのボイスコイルの容量値に起因する電気インピーダンスの共振周波数を、比較的に高く設定でき、また、最初の共振周波数以上で発生する電気インピーダンスの乱れであるリンギングを抑制できる。特に、可聴音域よりも高いキャリア周波数成分を含むスイッチング出力信号を出力する増幅器と組み合わせてスピーカーシステムを構成する場合において、低域通過フィルタとしてのＬＣフィルタを備えない場合には、キャリア信号の周波数帯域で負荷の電気インピーダンスの絶対値が低下することを防ぐことができ、スイッチング出力信号を出力する増幅器の効率を高めることができる。低域通過フィルタを省略可能にできるので、増幅器と組み合わせるスピーカーシステムでは、小型化および製造コストの面で有利であるという利点がある。
【発明の効果】
【００２２】
本発明のボイスコイルは、可聴音域よりも高いキャリア周波数成分を含むスイッチング出力信号を出力する増幅器と組み合わせてスピーカーシステムを構成するのに適する動電型スピーカーを提供することができる。
【図面の簡単な説明】
【００２３】
【図１】本発明の好ましい実施形態によるスピーカーシステムについて説明する図である。（実施例１）
【図２】本発明のボイスコイルについて説明する図である。（実施例１）
【図３】本発明のボイスコイルについて説明する図である。（実施例１）
【図４】本発明のボイスコイルの電気インピーダンス特性について説明するグラフである。（実施例１、比較例１）
【図５】比較例のボイスコイルの電気インピーダンス特性について説明するグラフである。（比較例２、比較例３）
【図６】本発明のスピーカーシステムの効率について説明するグラフである。（実施例１）
【図７】比較例のスピーカーシステムの効率について説明するグラフである。（比較例４）
【発明を実施するための形態】
【００２４】
以下、本発明の好ましい実施形態によるボイスコイル、および、これを用いた動電型スピーカー並びにスピーカーシステムについて説明するが、本発明はこれらの実施形態には限定されない。
【実施例１】
【００２５】
図１は、本発明の好ましい実施形態によるスピーカーシステム１について説明する図であり、具体的には、スピーカーシステム１の構成を示すブロック図である。なお、説明に不要な一部の構造や、内部構造等は、図示ならびに説明を省略している。
【００２６】
スピーカーシステム１は、同一のキャビネットに取り付けられている動電型スピーカー２と、スイッチングアンプ１０と、から構成される。スピーカーシステム１は、スイッチングアンプ１０の入力端子３に入力される音声信号を増幅して出力端子１６に出力し、信号線であるコードを介して動電型スピーカー２の入力端子２５に入力する。その結果、スピーカーシステム１では、動電型スピーカー２が、増幅された音声信号を音波に変換して音声再生を行なう。
【００２７】
なお、図示するスピーカーシステム１では、音声入力信号は、１チャンネルのみのモノラル信号について説明するが、２チャンネルのステレオ信号であってもよく、また、３チャンネル以上のマルチチャンネル信号であってもよい。また、動電型スピーカー２と、スイッチングアンプ１０と、は同一のキャビネットに取り付けられているが、それぞれ別のキャビネット又は筐体に収納されていてもよい。
【００２８】
動電型スピーカー２は、例えば、図１にその断面が図示されるようなキャビネットに取り付けられる外磁型の動電型スピーカーである。動電型スピーカー２は、磁気回路２２の磁気空隙に振動可能なように配置されるボイスコイル２０および振動板２１およびエッジ２４並びにダンパーを含む一自由度の振動系を有し、磁気回路４２および振動系は、フレーム２３に支えられて、キャビネットに取り付けられる。
【００２９】
図１に図示する動電型スピーカー２の磁気回路２２は、磁気空隙の外側にマグネットが位置する外磁型の磁気回路であるが、内磁型の磁気回路、あるいは、反発型、等の他の磁気回路であってもよい。また、磁気回路２２は、好ましくは磁気空隙の内部、あるいは、磁気空隙の近傍にショートリングを備えるようにしてもよい。動電型スピーカー２は、ショートリングを備えることでボイスコイル２０のインダクタンスを等価的に低下させ、磁気回路２２を構成する磁性材料に渦電流が流れにくくなるようにすれば、電流歪の発生を低減できる。
【００３０】
動電型スピーカー２は、ボイスコイル２０が一層巻のコイルを含む動電型スピーカーであって、入力端子２５には、ボイスコイル２０の一方端／他方端に対応して接続する２つの接続端子Ｓ１およびＳ２が備わる。入力端子２５とボイスコイル２０は、後述するような錦糸線またはリード線を介して接続されるが、図１では、錦糸線の図示は省略されている。なお、入力端子２５は、フレーム２３に取り付けるように設けられているのが好ましい。
【００３１】
図２および図３は、ボイスコイル２０について説明する図である。具体的には、図２はボイスコイル２０を磁気回路側から見た斜視図であり、図３はボイスコイル２０の一部を側面視した場合の一部拡大図である。ボイスコイル２０は、略円筒形状に形成されるボビン３０と、ボビン３０に絶縁被膜電線が一層で巻回されて形成されるコイル３１と、中継箔部材３４、３５と、コイル３１の一方端が接続される錦糸線３６と、コイル３１の他方端が接続される錦糸線３７と、を備える。
【００３２】
本実施例のボイスコイル２０のボビン３０は、ポリイミド樹脂のフィルムで形成されている。ボビン３０は、他にクラフト紙、スパイラル紙の紙材料、もしくは、キャプトン、シルター、ティル等の樹脂材料、もしくは、アルミ、または、チタンを含む金属材料、のいずれかの材料で形成されていればよい。ボビン３０は、略円筒形状に形成される。
【００３３】
コイル３１を形成する絶縁被膜電線は、断面が丸または平角の銅線、アルミ線、又は、銅クラッドアルミ線のいずれかから選択すればよい。コイル３１は一層巻のコイルであるが、平角線であるエッジワイズ線を採用するのが好ましい。コイル３１は一層巻のコイルであるので、巻き初め／巻き終わりに対応する一方端３２と他方端３３とが、コイル３１の上部側と下部側とにそれぞれ現れる。
【００３４】
中継箔部材３４および３５は、それぞれボビン３０の外側円曲面に貼り付けられて、コイル３１の両端（一方端３２、他方端３３）および錦糸線３６または３７の一端を、ハンダ付けによりそれぞれ相互に電気的及び機械的に接続する。中継箔部材３４および３５は、例えば銅箔のような導通性を有する薄い金属箔で形成される。ボイスコイル２０は、中継箔部材３４および３５を設けることで、錦糸線３６または３７を強固に取り付けることでき、コイル３１を形成する絶縁被膜電線の断線を防止する。
【００３５】
図示するように、略円筒形状のボビン３０の下部側にコイル３１が巻回され、略円筒形状のボビン３０の上部側に中継箔部材３４および錦糸線３６と、中継箔部材３５の第２電極部３５２および錦糸線３７が取り付けられる。これは、動電型スピーカー２の磁気回路２２の磁気空隙が、振動板２１を含む振動系が取り付けられる一方側からのみ、ボイスコイル２０のコイル３１を挿入できる構造になっていることに対応した構造である。
【００３６】
つまり、中継箔部材３４および３５は、ボイスコイル２０のコイル３１を磁気回路の磁気回路２２の磁気空隙に挿入した場合に、コイル３１に接続する錦糸線３６および３７が磁気回路２２に接触しないような位置に、コイル３１の両端（一方端３２、他方端３３）を導き出して錦糸線３６または３７に接続及び固定している。磁気回路２２の磁気空隙は非常に狭い間隔の空間なので、当然にボイスコイル２０は、ボビン３０、コイル３１、および、中継箔部材３５が磁気回路２２に接触しないで磁気空隙中を振動可能なように設計する必要がある。
【００３７】
そこで、中継箔部材３５は、略円筒形状のボビン３０の下部側に出現する一層巻のコイル３１の他方端３３を、電気的並びに機構的に略円筒形状のボビン３０の上部側に出現するコイル３１の一方端３２側に近づけるようにする。具体的には、中継箔部材３５は、コイル３１の他方端３３が接続される第１電極部３５１と、錦糸線３７が接続される第２電極部３５２と、ボビン３０に一層で巻回されたコイル３１と略直交するように配置されて第１電極部３５１と第２電極部３５２とを接続する交差部３５０と、を備える。したがって、図示するように、コイル３１は、ボビン３０および中継箔部材３５の交差部３５０の上に絶縁被膜電線を巻回すようにして形成される。
【００３８】
一方で、中継箔部材３４は、コイル３１に巻回されるような交差部を有する必要は無く、中継箔部材３５の第２電極部３５２に相当するような最小の必要面積を有していればよい。本実施例のボイスコイル２０では、中継箔部材３４および中継箔部材３５の第２電極部３５２に、あらかじめ錦糸線３６および３７が予備加工によって取り付けられているが、あらかじめ錦糸線３６および３７を取り付けていない場合には、動電型スピーカー２の製造工程において、錦糸線３６および３７又は相当するリード線等を取り付けてもよい。ボイスコイル２０は、通常のボイスコイルの製造方法に準じて製造可能なので、ボイスコイルとしての製造が容易であり、これを用いる動電型スピーカー２としても品質が安定する。
【００３９】
スイッチングアンプ１０は、入力端子３に入力される音声信号を増幅して出力端子１６に出力するスイッチング増幅部を内部に含む。スイッチング増幅部は、グランドされた接地電位を基準電位として、基準電位よりも大きな第１電位Ｖ１を有する第１電源１１と、基準電位よりも小さく第１電源とは極性が異なる第２電位Ｖ２（＝−Ｖ１）を有する第２電源１２と、キャリア信号に基づいて入力音声信号をパルス幅変調するパルス変調回路１３と、２つのＭＯＳＦＥＴ１４および１５を含む。第１ＭＯＳ−ＦＥＴ１４は、ゲート端子がパルス変調回路１３に接続され、ソース端子が第１電源１１に接続され、ドレイン端子が出力端子１６の端子Ｔ１に接続するスイッチング増幅部の出力端子に接続される。また、第２ＭＯＳ−ＦＥＴ１５は、ゲート端子がパルス変調回路１３に接続され、ソース端子が第２電源１２に接続され、ドレイン端子が出力端子１６の端子Ｔ１に接続するスイッチング増幅部の出力端子１６に接続される。
【００４０】
パルス変調回路１３は、キャリア信号に基づいて入力音声信号をパルス幅変調して、第１パルス変調信号を第１ＭＯＳ−ＦＥＴ１４に出力し、第１パルス変調信号と異なる第２パルス変調信号を第２ＭＯＳ−ＦＥＴ１５に出力する。キャリア信号は、音声信号の周波数帯域（約２０Ｈｚ〜２０ｋＨｚ）よりも遙かに高い周波数（例えば、約３００ｋＨｚ以上）の変調信号である。第１ＭＯＳ−ＦＥＴ１４は、パルス変調回路１３からの第１パルス変調信号に応答してオン状態またはオフ状態になり、第１電位Ｖ１をスイッチング増幅部の出力端子に出力するか、または解放状態となる。また、第２ＭＯＳ−ＦＥＴ１５は、パルス変調回路１３からの第２パルス変調信号に応答してオン状態またはオフ状態になり、第２電位Ｖ２をスイッチング増幅部の出力端子に出力するか、または解放状態となる。
【００４１】
スイッチング増幅部からの出力信号は、コイル／コンデンサから構成されるような低域通過フィルタを経ることなく、出力端子１６の端子Ｔ１に出力される。したがって、スイッチングアンプ１０の出力端子１６の端子Ｔ１には、音声信号よりも遙かに周波数帯域が高いキャリア信号成分を含み、第１電位Ｖ１と第２電位Ｖ２との間でスイングする増幅されたパルス変調信号が出力される。増幅されたパルス変調信号は、増幅された入力音声信号を含み、（図示しない）低域通過フィルタを通過させると、入力された音声信号を電力増幅した出力信号として取り出すことができる。スイッチングアンプ１０の出力端子１６の端子Ｔ２は、端子Ｔ１と組になる出力端子であり、スイッチングアンプ１０内において基準電位に接地されている。
【００４２】
なお、スイッチングアンプ１０のスイッチング増幅部は、上記構成の構成に限らず、可聴音域よりも高いキャリア周波数成分を含むスイッチング出力信号を出力する他の変調方式によるＤ級アンプであればよい。例えば、スイッチング増幅部のパルス変調回路１３は、キャリア信号に基づいて入力音声信号をパルス密度変調する変調回路であってもよい。スイッチング増幅部は、第１電位Ｖ１と第２電位Ｖ２との間でスイングする増幅された２値のパルス変調信号を出力するものでもよく、基準電位を含む３値のパルス変調信号を出力するものでもよい。
【００４３】
したがって、このスピーカーシステム１では、スイッチングアンプ１０からの可聴音域よりも高いキャリア周波数成分を含む出力信号は、コイル／コンデンサから構成されるような低域通過フィルタを経ることなく、動電型スピーカー２のボイスコイル２０に入力されることになる。スイッチングアンプ１０の効率を考慮すると、ボイスコイル２０を含む動電型スピーカー２の電気インピーダンスは、キャリア信号の周波数帯域において十分に高い値になることが望ましく、ボイスコイル２０の線間容量を低減して、電気インピーダンスが局所的に低下するような共振現象を発生させないようにする必要がある。
【００４４】
ボイスコイル２０の中継箔部材３５は、略円筒形状のボビン３０の下部側に出現する一層巻のコイル３１の他方端３３を、電気的並びに機構的にコイル３１の一方端３２側である略円筒形状のボビン３０の上部側に近づけるようにするのに、ボビン３０に一層で巻回されたコイル３１と略直交するように配置される交差部３５０を備える。図３に示すように、交差部３５０は、その長さ方向においてコイル３１の絶縁被膜電線を横切るように、コイル３１の巻線高さを規定するＨ寸法よりも長くなるように長さＬ１が設定される。
【００４５】
また、交差部３５０の幅寸法Ｗ０は、錦糸線３７を固定するのにある程度の面積が必要な第２電極部３５２の幅寸法Ｗ２よりも、細く形成される。第１電極部３５１の幅寸法Ｗ１は、コイル３１の他方端３３を固定するのにある程度の面積が必要になるので、交差部３５０の幅寸法Ｗ０よりも太く広くなる。ただし、場合によっては交差部３５０の幅寸法Ｗ０と同程度かそれ以上の寸法であればよい。
【００４６】
ボイスコイル２０は、中継箔部材３５の交差部３５０の導体としての幅寸法Ｗ０が、細く狭く形成されているので、コイル３１と交差する投影面積が、従来のように交差部３５０の幅寸法を細く狭くしない場合に比べて、小さくなる。したがって、ボイスコイル２０の線間に寄生して発生する容量の値を、従来よりも小さくすることができる。
【００４７】
交差部３５０の幅寸法Ｗ０が、細く狭いほどボイスコイル２０の容量は小さくできるが、ボイスコイル２０の製造品質を安定的に高める上で中継箔部材３５を用いるという前提では、安定的に製造可能な寸法範囲で、交差部３５０の幅寸法Ｗ０を、錦糸線３７を取り付けるのにある程度の広さが必要な第２電極部３５２の幅寸法Ｗ２よりも細く形成すればよい。つまり、交差部３５０の幅寸法Ｗ０は、通常に用いられる単純な短冊状の本実施例のような交差部３５０を備えない中継箔部材の幅寸法に比べて、細く狭くすればよい。
【００４８】
なお、本実施例のボイスコイル２０の中継箔部材３５は、導通性を有する薄い金属箔である銅箔であるが、可撓性を有するフレキシブルプリント基板等で構成してもよい。例えば、中継箔部材３５をフレキシブルプリント基板で構成する場合には、ボイスコイル２０の容量を小さくするように交差部３５０の導体の幅寸法Ｗ０を、第２電極部３５２の幅寸法Ｗ２よりも細く形成すればよいのであって、交差部３５０のフレキシブルプリント基板の絶縁体の幅寸法は、制限されない。
【００４９】
また、ボイスコイル２０は、一方の中継箔部材３５を備えていればよく、他方の中継箔部材３４は、コイル３１の一方端３２と錦糸線３６を接続してボビン３０に固定できれば、他の手段で実現しても、省略しても良い。
【００５０】
図４および図５は、ボイスコイル単体での電気インピーダンス特性について説明するグラフである。具体的には、グラフは、それぞれ横軸の周波数に対して縦軸がボイスコイルの電気インピーダンスの絶対値を示す。なお、グラフの周波数帯域は、可聴周波数帯域である２０Ｈｚ〜２０ｋＨｚよりも遙かに高い１００ｋＨｚ〜１００ＭＨｚであって、スイッチングアンプ１０のキャリア信号の周波数帯域であることに留意すべきである。
【００５１】
図４は、本実施例のボイスコイル２０の場合と、中継箔部材３５の交差部３５０の幅寸法Ｗ０が第２電極部３５２の幅寸法Ｗ２に等しい従来の場合を想定する比較例１の（図示しない）ボイスコイル２０ａを示している。また、図５は、他の比較例として、中継箔部材３５を取り除いて、コイル３１から離隔させた他のリード線によりコイル３１の他方端３３を錦糸線３７と接続させて、コイル３１の線間の寄生容量を最小化した理想的な場合を想定する比較例２の（図示しない）ボイスコイル２０ｂと、中継箔部材３５を本来的に必要としない２層巻のコイルを想定する比較例３の（図示しない）ボイスコイル２０ｃと、を示している。
【００５２】
本実施例のボイスコイル２０は、比較例１のボイスコイル２０ａに比べて容量値を小さくできるので、図４に示すように、動電型スピーカー２のボイスコイル２０の容量値に起因する電気インピーダンスの共振周波数を、比較的に高く設定できる。また、ボイスコイル２０は、最初の共振周波数以上で発生する電気インピーダンスの乱れであるリンギングを抑制でき、キャリア信号の周波数帯域でスイッチングアンプ１０から見た負荷である動電型スピーカー２の電気インピーダンスの絶対値が低下することを防ぐことができる。
【００５３】
一方で、比較例１のボイスコイル２０ａは、寄生容量が本実施例のボイスコイル２０よりも大きくなる。比較例１のボイスコイル２０ａの場合に出現する１０ＭＨｚ付近の電気インピーダンス特性のディップでは、ボイスコイル２０ａの容量値に起因する共振で電気インピーダンスの絶対値が、ボイスコイル２０の場合に比べて極端に低下することを示している。複数の電気インピーダンス特性のディップが存在する場合には、全体的な電気インピーダンスの絶対値が低下することになる。本実施例のボイスコイル２０では、電気インピーダンスの絶対値の低下を防ぐことができるので、キャリア信号の電流が増えて消費電力が増加することがなくなり、スイッチングアンプ１０からみると結果的に、音声再生の効率が比較例１の場合よりも改善することになる。
【００５４】
また、ボイスコイルの寄生容量を低減するという意味では理想的な比較例２のボイスコイル２０ｂの場合には、容量が小さくなることで共振周波数が高くなり、共振周波数よりも高い周波数での電気インピーダンスの乱れであるリンギングが最も抑制され、電気インピーダンスの絶対値が低下しにくくできる。しかしながら、１層巻ボイスコイルでは、略円筒形状のボビン３０の下部側に出現する一層巻のコイル３１の他方端３３を上部側に導出しなければならない。つまり、比較例２のボイスコイル２０ｂは、磁気回路２２の磁気空隙にコイル３１を配置すると、コイル３１の他方端３３に入力信号を供給できない、あるいは、コイル３１の他方端３３に入力信号を供給するリード線が磁気回路２２に接触するのを防げないので、良好に動作する動電型スピーカー２を構成することができず、現実的ではない。
【００５５】
また、比較例３の中継箔部材３５を本来的に必要としない２層巻のボイスコイル２０ｃの場合は、ボイスコイルが２層巻にされることで線間の寄生容量が大きくなる。したがって、共振周波数が低くなり、共振周波数よりも高い周波数での電気インピーダンスの乱れであるリンギングが激しくなり、電気インピーダンスの絶対値が低下する。したがって、２層巻のボイスコイル２０ｃを用いて動電型スピーカー２を構成する場合には、キャリア信号の電流が増えて消費電力が増加することになるので、スイッチングアンプ１０からみると結果的に、音声再生の効率が低下することになる。
【００５６】
本実施例のボイスコイル２０を含む動電型スピーカー２の電気インピーダンスは、動電型スピーカー２の最低共振周波数ｆ０の共振ピークが出現するほかに、金属の磁性体を含む磁気回路２２の磁気空隙にコイル３１が挿入されるので、コイル３１のインダクタンスが大きくなるように変化し、その結果としてコイル３１の寄生容量による共振周波数を含む電気インピーダンス特性は、図４および図５に示す特性から変化することになる。比較例のボイスコイル２０ａ、２０ｃの場合も同様である。
【００５７】
しかし、コイル３１の寄生容量は、磁気回路２２の磁気空隙に挿入されるか否かでは、基本的に変化しない。スイッチングアンプ１０のキャリア信号の周波数帯域において、上述したボイスコイル単体での電気インピーダンス特性が示す傾向は、たとえ動電型スピーカー２の電気インピーダンスとして比べても、本実施例のボイスコイル２０と、比較例のボイスコイル２０ａ、２０ｃとの場合とで、同じ傾向を示して相対的な関係が変わることはない。また、比較例のボイスコイル２０ｂは、磁気回路２２の磁気空隙に挿入するとコイル３１の他方端３３に信号を供給できなくなるので、動電型スピーカーに組み入れられない。
【００５８】
したがって、スイッチングアンプ１０からみると、本実施例のボイスコイル２０を含む動電型スピーカー２が、他の比較例１または３の場合よりも最も音声再生の効率が改善したスピーカーシステム１を実現することができる。
【００５９】
図６は、本発明の実施例のスピーカーシステム１の効率について説明するグラフであり、また、図７は比較例の（図示しない）スピーカーシステムの効率について説明するグラフである。横軸は、規定距離での基準化した音圧レベルであり、縦軸は、電源からスイッチングアンプへの基準化した入力電力である。したがって、横軸が同じ音圧レベルを示す場合には、縦軸である入力電力が小さいほど、スピーカーシステム１の効率が良いことを示す。
【００６０】
図６のグラフに実線で示す「２（２０）」は、実施例のボイスコイル２０を備える動電型スピーカー２の場合であり、破線で示す「２（２０）＋ＬＰＦ」は、スイッチングアンプ１０のドライバ回路と動電型スピーカー２のスピーカー端子との間に（図示しない）低域通過フィルタ（ＬＰＦ）を挿入して設けた場合である。実施例のスピーカーシステム１は、動電型スピーカー２が実施例のボイスコイル２０を備えるので、低域通過フィルタ（ＬＰＦ）を挿入して設けるか否かに係わらず、入力電力に対する音圧レベル、すなわち、効率があまり変化しない。
【００６１】
つまり、動電型スピーカー２の場合には、容量が小さいボイスコイル２０の電気インピーダンスがスイッチングアンプ１０のキャリア周波数の帯域で十分に大きいので、低域通過フィルタ（ＬＰＦ）で消費される無効な電力が少ない。したがって、スイッチングアンプ１０のドライバ回路と動電型スピーカー２のスピーカー端子との間に低域通過フィルタ（ＬＰＦ）を有さないように、スピーカーシステム１の設計が可能である。
【００６２】
図７のグラフに実線で示す「２ｄ（２０ｄ）」は、比較例の（図示しない）２層巻のボイスコイル２０ｄを備える動電型スピーカー２ｄの場合であり、破線で示す「２ｄ（２０ｄ）＋ＬＰＦ」は、スイッチングアンプ１０のドライバ回路と動電型スピーカー２ｄのスピーカー端子との間に（図示しない）低域通過フィルタ（ＬＰＦ）を挿入して設けた場合である。この比較例のスピーカーシステム１ｄは、動電型スピーカー２ｄが、従来の容量の大きい２層巻のボイスコイル２０ｄを備えるので、低域通過フィルタ（ＬＰＦ）を有する構成にすることを前提としている。これらを比較して分かるように、入力電力に対する音圧レベルが、低域通過フィルタ（ＬＰＦ）の有無により大きく変化している。
【００６３】
比較例の動電型スピーカー２ｄは、低域通過フィルタ（ＬＰＦ）を挿入して設ける場合には効率が高くできるが、低域通過フィルタ（ＬＰＦ）を備えない場合には効率が低下してしまう。つまり、比較例の動電型スピーカー２ｄは、低域通過フィルタ（ＬＰＦ）で消費される無効な電力が多いので、低域通過フィルタ（ＬＰＦ）を備えないようにすると効率が悪く、同一の音圧レベルを実現するのに、より多くの電力が必要になることがこれらのグラフから分かる。このように比較例の動電型スピーカー２ｄでは、スピーカーシステム１の設計するのに際し、スイッチングアンプ１０のドライバ回路と動電型スピーカー２のスピーカー端子との間に低域通過フィルタ（ＬＰＦ）を設ける必要がある。
【００６４】
なお、本実施例の動電型スピーカー２の場合にも、低域通過フィルタ（ＬＰＦ）を挿入して設けるようにしてもよい。容量が小さいボイスコイル２０は、電気インピーダンスがスイッチングアンプ１０のキャリア周波数の帯域で十分に大きいので、低域通過フィルタ（ＬＰＦ）を構成するコイル／コンデンサを小さな定数の素子に変更でき、小型化が可能な利点がある。したがって、スイッチングアンプ１０および動電型スピーカー２を備えるスピーカーシステム１において、低域通過フィルタ（ＬＰＦ）を備えていても小型化、低コスト化を図る設計が可能である。
【００６５】
また、本実施例のボイスコイル２０では、動電型スピーカー２の磁気回路２２の磁気空隙を、一層巻のコイル３１および中継箔部材３５が配置されるだけでよいように十分に狭くできるので、磁気空隙中での磁束密度を高めることができ、結果的に変換効率の高い動電型スピーカー２を実現できる利点がある。ボイスコイル２０は、標準的な一層巻のボイスコイル製造の工程を利用して構成することができるので、製造が容易で動電型スピーカー２の製造コストの面でも有利であって、品質が安定する利点がある。
【００６６】
上記の実施例では、スイッチングアンプ１０および動電型スピーカー２を備えるスピーカーシステム１について説明したが、スイッチングアンプ１０は、スイッチング動作を行わない増幅器に置き換えることが可能である。動電型スピーカー２は、容量が小さいボイスコイル２０を備えるので、容量リアクタンスが信号歪みの要因とならず、歪が少ない良好な音声再生が可能になる利点がある。
【産業上の利用可能性】
【００６７】
本発明のボイスコイルおよびこれを備える動電型スピーカー並びにスピーカーシステムは、音声信号を再生する音響装置、ステレオ装置のみならず、ディスプレイ等の映像・音響機器に内蔵するヘッドホン用増幅器を内蔵するゲーム機、電話機にも適用が可能である。
【符号の説明】
【００６８】
１        スピーカーシステム
２        動電型スピーカー
３        入力端子
１０      スイッチングアンプ
１１      第１電源
１２      第２電源
１３      パルス変調回路
１４      第１ＭＯＳ−ＦＥＴ
１５      第２ＭＯＳ−ＦＥＴ
２０      ボイスコイル
２１      振動板
２２      磁気回路
２３      フレーム
２４      エッジ
２５      スピーカー端子
３０      ボビン
３１      コイル
３２、３３  コイルの両端
３４、３５  中継箔部材
３６、３７  錦糸線
【図１】
2016208318.tif 000003
【図２】
2016208318.tif 000004
【図３】
2016208318.tif 000005
【図４】
2016208318.tif 000006
【図５】
2016208318.tif 000007
【図６】
2016208318.tif 000008
【図７】
2016208318.tif 000009